(57)【特許請求の範囲】
【請求項１】
生鳥移送篭の排出扉ロック部材であって、溝型断面ゴムと溝型断面ゴムを挟持する溝型断面金具と平板金具とを備え、生鳥移送篭の側壁の一部を形成すると共に下縁まわりに揺動可能な排出扉の上縁に係合して排出扉を閉鎖状態にロックするロック部材において、溝型断面金具の外部環境側のフランジと生鳥移送篭内部空間側のフランジとを連結するウェブと溝型断面金具の生鳥移送篭内部空間側のフランジの挟む角度が２０°乃至３５°であることを特徴とするロック部材。
【請求項２】
生鳥移送篭の排出扉ロック部材であって、溝型断面ゴムと溝型断面ゴムを挟持する溝型断面金具と平板金具とを備え、生鳥移送篭の側壁の一部を形成すると共に下縁まわりに揺動可能な排出扉の上縁に係合して排出扉を閉鎖状態にロックするロック部材において、溝型断面金具の外部環境側のフランジと生鳥移送篭内部空間側のフランジとを連結するウェブに溝型断面金具の生鳥移送篭内部空間側のフランジが揺動可能に取り付けられており、溝型断面金具の生鳥移送篭内部空間側のフランジの生鳥移送篭内部空間側への揺動を規制する規制部材が配設されており、溝型断面ゴムの外部環境側のフランジと生鳥移送篭内部空間側のフランジとを連結するウェブから溝型断面ゴムの生鳥移送篭内部空間側のフランジが分離されていることを特徴とするロック部材。
【発明の詳細な説明】
【技術分野】
【０００１】
本発明は、生鳥移送篭の排出扉ロック部材に関するものである。
【背景技術】
【０００２】
生鳥を飼育場から処理工場へ移送するための生鳥移送篭の排出扉ロック部材であって、溝型断面ゴムと溝型断面ゴムを挟持する溝型断面金具と平板金具とを備え、生鳥移送篭の側壁の一部を形成すると共に下縁まわりに揺動可能な排出扉の上縁に係合して、排出扉を閉鎖状態にロックするロック部材が特許文献１の段落０００９と図７、図１０とに開示されている。
【先行技術文献】
【特許文献】
【０００３】
【特許文献１】特許第６８５７９５５号公報
【発明の概要】
【発明が解決しようとする課題】
【０００４】
特許文献１の排出扉ロック部材において、溝型断面金具の生鳥移送篭内部空間側のフランジは、特許文献１の図７、図１０から分かるように、外部環境側のフランジと生鳥移送篭内部空間側のフランジとを連結するウェブに直交しており、前記内部空間天井から前記内部空間床へ向けて略鉛直に垂下している。この結果、本願の図１（ａ）〜（ｃ）に示すように、処理工場において、排出扉を開き、次いで生鳥移送篭を傾けて、生鳥篭内部空間に収容した生鳥を排出する際に、図１（ｄ）に示すように、前記溝型断面金具の生鳥移送篭内部空間側のフランジに生鳥の頭部が衝突し、首や肩が内出血して生鳥の商品価値が低下する事態が発生する可能性がある。生鳥の商品価値が低下するということは、生鳥飼育に費やしたエネルギーの一部が無価値化して消失すること、即ちエネルギーロスを起こすこと、を意味する。
本発明は上記問題に鑑みてなされたものであり、生鳥を飼育場から処理工場へ移送するための生鳥移送篭の排出扉ロック部材であって、溝型断面ゴムと溝型断面ゴムを挟持する溝型断面金具と平板金具とを備え、生鳥移送篭の側壁の一部を形成すると共に下縁まわりに揺動可能な排出扉の上縁に係合して、排出扉を閉鎖状態にロックするロック部材において、生鳥排出時に生鳥が傷付く事態の発生を抑制し、生鳥の商品価値の低下を抑制し、ひいては、生鳥飼育に費やしたエネルギーの一部が無価値化して消失する事態の発生を抑制することができるロック部材を提供することを目的とする。
【課題を解決するための手段】
【０００５】
上記課題を解決するために、本発明においては、生鳥移送篭の排出扉ロック部材であって、溝型断面ゴムと溝型断面ゴムを挟持する溝型断面金具と平板金具とを備え、生鳥移送篭の側壁の一部を形成すると共に下縁まわりに揺動可能な排出扉の上縁に係合して排出扉を閉鎖状態にロックするロック部材において、溝型断面金具の外部環境側のフランジと生鳥移送篭内部空間側のフランジとを連結するウェブと溝型断面金具の生鳥移送篭内部空間側のフランジの挟む角度が２０°乃至３５°であることを特徴とするロック部材を提供する。  
溝型断面金具の生鳥移送篭内部空間側のフランジを外部環境側へ向けて傾斜させれば、当該フランジに生鳥の頭部が衝突しても、前記フランジが鉛直に垂下する場合に比べて生鳥頭部に加わる衝撃力が減少すると共に排出される生鳥に頭を下げる時間的余裕が生ずる。この結果、生鳥が傷つく事態の発生が抑制され、生鳥の商品価値の低下が抑制され、ひいては、生鳥飼育に費やしたエネルギーの一部が無価値化して消失する事態の発生が抑制される。生鳥頭部に加わる衝撃力の減少と排出される生鳥が頭を下げる時間的余裕の生成を実効性のあるものとするために、溝型断面金具の外部環境側のフランジと生鳥移送篭内部空間側のフランジとを連結するウェブと溝型断面金具の生鳥移送篭内部空間側のフランジの挟む角度を２０°乃至３５°とするのが望ましい。
また本発明においては、生鳥移送篭の排出扉ロック部材であって、溝型断面ゴムと溝型断面ゴムを挟持する溝型断面金具と平板金具とを備え、生鳥移送篭の側壁の一部を形成すると共に下縁まわりに揺動可能な排出扉の上縁に係合して排出扉を閉鎖状態にロックするロック部材において、溝型断面金具の外部環境側のフランジと生鳥移送篭内部空間側のフランジとを連結するウェブに溝型断面金具の生鳥移送篭内部空間側のフランジが揺動可能に取り付けられており、溝型断面金具の生鳥移送篭内部空間側のフランジの生鳥移送篭内部空間側への揺動を規制する規制部材が配設されており、溝型断面ゴムの外部環境側のフランジと生鳥移送篭内部空間側のフランジとを連結するウェブから溝型断面ゴムの生鳥移送篭内部空間側のフランジが分離されていることを特徴とするロック部材を提供する。
溝型断面金具の外部環境側のフランジと生鳥移送篭内部空間側のフランジとを連結するウェブに溝型断面金具の生鳥移送篭内部空間側のフランジが揺動可能に取り付けられており、溝型断面ゴムの外部環境側のフランジと生鳥移送篭内部空間側のフランジとを連結するウェブから溝型断面ゴムの生鳥移送篭内部空間側のフランジが分離されていれば、溝型断面金具の生鳥移送篭内部空間側のフランジに生鳥の頭部が衝突しても溝型断面金具の生鳥移送篭内部空間側のフランジと溝型断面ゴムの生鳥移送篭内部空間側のフランジが揺動するので、生鳥の頭部には大きな衝撃力は印加されない。この結果、生鳥が傷つく事態の発生が抑制され、生鳥の商品価値の低下が抑制され、ひいては、生鳥飼育に費やしたエネルギーの一部が無価値化して消失する事態の発生が抑制される。
【図面の簡単な説明】
【０００６】
【図１】従来の排出扉ロック部材を備えた生鳥移送篭から生鳥を排出する手順を示す、生鳥移送篭の側断面図である。（ａ）、（ｂ）、（ｃ）は生鳥移送篭の排出扉を開き、生鳥移送篭を傾け、生鳥を排出する様子を時系列的に示す図であり、（ｄ）は（ｃ）の部分拡大図である。
【図２】本発明の実施例に係る排出扉ロック部材を備えた生鳥移送篭の外観斜視図である。
【図３】本発明の第１実施例に係る排出扉ロック部材を備えた生鳥移送篭の構成と、当該生鳥移送篭から生鳥を排出する手順とを示す、生鳥移送篭の側断面図である。（ａ）、（ｂ）、（ｃ）は生鳥移送篭の排出扉を開き、生鳥移送篭を傾け、生鳥を排出する様子を時系列的に示す図であり、（ｄ）は（ｃ）の部分拡大図である。
【図４】図３（ａ）の部分拡大図である。
【図５】本発明の第２実施例に係る排出扉ロック部材を備えた生鳥移送篭の部分拡大図である。（ａ）は図４に相当する図であり、（ｂ）は生鳥排出時のロック部材の作動を示す図である。
【発明を実施するための形態】
【０００７】
本発明の第１実施例に係る排出扉ロック部材を備えた生鳥移送篭を説明する。
図２〜４に示すように、生鳥移送篭１は、下から順に４層の床２ａ、２ｂ、２ｃ、２ｄと、天井２ｅと、生鳥移送篭１の前面側壁を形成する下から順に４枚の排出扉３ａ、３ｂ、３ｃ、３ｄと、下から順に４枚の後面側壁４ａ、４ｂ、４ｃ、４ｄと、左右一対の側面網５ａ、５ｂとで形成された、下から順に４層の生鳥収容区画６ａ、６ｂ、６ｃ、６ｄを備えている。後面側壁４ａ、４ｂ、４ｃ、４ｄは床２ａ、２ｂ、２ｃ、２ｄの後面側端部に固定されている。
床２ａ、２ｂ、２ｃ、２ｄ、天井２ｅの排出扉側の半部分は、生鳥移送篭１の強度部材である前後に延在する梁２ａ１、２ｂ１、２ｃ１、２ｄ１、２ｅ１に固定されている。他方、床２ａ、２ｂ、２ｃ、２ｄ、天井２ｅの後面側壁側の半部分は、床２ａ、２ｂ、２ｃ、２ｄ、天井２ｅの排出扉側の半部分に重畳しつつ排出扉側へ移動可能に、梁２ａ１、２ｂ１、２ｃ１、２ｄ１、２ｅ１によって支持されている。床２ａ、２ｂ、２ｃ、２ｄ、天井２ｅの後面側壁側の半部分が生鳥移送篭１から後方へ抜け出るのを防止する図示しない上下に延在する複数の帯板材が生鳥移送篭１の後面に配設されている。
排出扉３ａ、３ｂ、３ｃ、３ｄは、生鳥移送篭１の前面の強度部材である溝型鋼７ａ、７ｂ、７ｃ、７ｄに、ヒンジ８ａ、８ｂ、８ｃ、８ｄを介して揺動可能に取り付けられている。この結果、排出扉３ａ、３ｂ、３ｃ、３ｄは下縁まわりに揺動可能である。
溝型鋼７ｂ、７ｃ、７ｄにロック部材９ｂ、９ｃ、９ｄが取り付けられ、生鳥移送篭１の前面最上部の強度部材である溝型鋼７ｅにロック部材９ｅが取り付けられている。
【０００８】
ロック部材９ｃに着目してロック部材の構造詳細を説明する。ロック部材９ｂ、９ｄ、９ｅもロック部材９ｃと同一構造である。
図４に示すように、ロック部材９ｃは、溝型断面ゴム９ｃ１と溝型断面ゴム９ｃ１を挟持する溝型断面金具９ｃ２と平板金具と９ｃ３を備えている。溝型断面金具９ｃ２は、溝型鋼７ｃの開口に固定された部分塞ぎ板７ｃ１に、後述するウェブ９ｃ２３が固定されている。
溝型断面金具９ｃ２の生鳥移送篭内部空間側のフランジ９ｃ２１は、外部環境側へ折り曲げられている。溝型断面金具９ｃ２の外部環境側フランジ９ｃ２２と生鳥移送篭内部空間側のフランジ９ｃ２１とを連結するウェブ９ｃ２３と生鳥移送篭内部空間側のフランジ９ｃ２１との挟む角度は２０°乃至３５°に設定されている。
排出扉３ｂが閉鎖している時、図４から分かるように、ロック部材９ｃが排出扉３ｂの上縁に係合して、より具体的には溝型断面ゴム９ｃ１の外部環境側のフランジ又は生鳥移送篭内部空間側のフランジが排出扉３ｂの上縁に係合して、排出扉３ｂを閉鎖状態にロックしている。
【０００９】
生鳥移送篭１とロック部材９ｃの作動とを説明する。ロック部材９ｂ、９ｄ、９ｅの作動はロック部材９ｃと同一である。
生鳥移送篭１に生鳥を搬入する際は、排出扉３ａ〜３ｄを閉じて閉鎖状態にロックし、床２ｂ、２ｃ、２ｄと天井２ｅの後面側壁側半部分を排出扉側へ移動させて、床２ｂ、２ｃ、２ｄ、天井２ｅに開口を形成し、当該開口を介して生鳥収容区画６ａに生鳥を搬入する。次いで床２ｂの後面側壁側半部分を後面側壁側へ戻して床２ｂの開口を閉じ、生鳥収容区画６ｂに生鳥を搬入する。前記作業を繰り返して下から上へ、各層の生鳥収容区画へ生鳥を搬入し、最後に天井２ｅの後面側壁側半部分を後面側壁側へ移動させて天井２ｅの開口を閉じ、図３（ａ）に示すように搬入作業を終了する。
処理工場に生鳥篭１が到着した後、図３（ｂ）に示すように、手動また機械を用いて排出扉３ａ〜３ｄを開き、生鳥篭１を傾斜させて、図３（ｃ）に示すように、生鳥収容区画６ａ〜６ｄ内の生鳥を排出する。
ロック部材９ｃの溝型断面金具９ｃ２の生鳥移送篭内部空間側のフランジ９ｃ２１を外部環境側へ向けて傾斜させているので、図３（ｄ）から分かるように、排出される生鳥の頭部がフランジ９ｃ２１に衝突しても、当該フランジが鉛直に垂下する場合に比べて生鳥頭部に加わる衝撃力が減少すると共に排出される生鳥に頭を下げる時間的余裕が生ずる。この結果、生鳥が傷つく事態の発生が抑制され、生鳥の商品価値の低下が抑制され、ひいては、生鳥飼育に費やしたエネルギーの一部が無価値化して消失する事態の発生が抑制される。
生鳥頭部に加わる衝撃力の減少と排出される生鳥が頭を下げる時間的余裕の生成を実効性のあるものとするために、溝型断面金具９ｃ２の外部環境側フランジ９ｃ２２と生鳥移送篭内部空間側のフランジ９ｃ２１とを連結するウェブ９ｃ２３と生鳥移送篭内部空間側のフランジ９ｃ２１との挟む角度を２０°乃至３５°とするのが望ましい。
【００１０】
本発明の第２実施例に係る排出扉ロック部材を備えた生鳥移送篭を説明する。
図５（ａ）に示すように、ロック部材９ｃは、溝型断面ゴム９ｃ１と溝型断面ゴム９ｃ１を挟持する溝型断面金具９ｃ２と平板金具と９ｃ３とを備えている。溝型断面金具９ｃ２は、溝型鋼７ｃに固定された部分塞ぎ板７ｃ１に固定されている。
溝型断面金具９ｃ２の生鳥移送篭内部空間側のフランジ９ｃ２１は、溝型断面金具９ｃ２の外部環境側フランジ９ｃ２２と生鳥移送篭内部空間側のフランジ９ｃ２１とを連結すると共に溝型鋼７ｃの部分塞ぎ板７ｃ１に固定されたウェブ９ｃ２３に揺動可能に連結されている。フランジ９ｃ２１の生鳥移送篭内部空間側への揺動を規制する爪７ｃ２が溝型鋼７ｃに固定されている。
溝型断面ゴム９ｃ１の生鳥移送篭内部空間側のフランジ９ｃ１１は、溝型断面ゴム９ｃ１の外部環境側フランジ９ｃ１２と生鳥移送篭内部空間側のフランジ９ｃ１１とを連結するウェブ９ｃ１３から分離されている。
本実施例においては、溝型断面金具９ｃ２の生鳥移送篭内部空間側のフランジ９ｃ２１が、溝型断面金具９ｃ２の外部環境側フランジ９ｃ２２と生鳥移送篭内部空間側のフランジ９ｃ２１とを連結するウェブ９ｃ２３に揺動可能に連結されており、溝型断面ゴム９ｃ１の生鳥移送篭内部空間側のフランジ９ｃ１１が、溝型断面ゴム９ｃ１の外部環境側フランジ９ｃ１２と生鳥移送篭内部空間側のフランジ９ｃ１１とを連結するウェブ９ｃ１３から分離されているので、溝型断面金具のフランジ９ｃ２１に生鳥の頭部が衝突しても、図５（ｂ）に示すように、溝型断面金具９ｃ２と溝型断面ゴム９ｃ１の前記フランジ９ｃ２１、９ｃ１１が揺動し、生鳥の頭部には大きな衝撃力は印加されない。この結果、生鳥が傷つく事態の発生が抑制され、生鳥の商品価値の低下が抑制され、ひいては、生鳥飼育に費やしたエネルギーの一部が無価値化して消失する事態の発生が抑制される。フランジ９ｃ２１の生鳥移送篭内部空間側への揺動が爪７ｃ２によって規制されるので、ロック部材９ｃはロック機能を充分に奏することができる。
【産業上の利用可能性】
【００１１】
本発明は、生鳥移送篭の排出扉ロック部材に広く利用可能である。
【符号の説明】
【００１２】
１  生鳥移送篭
２ａ、２ｂ、２ｃ、２ｄ  床
２ｅ  天井
３ａ、３ｂ、３ｃ、３ｄ  排出扉
４ａ、４ｂ、４ｃ、４ｄ  後面側壁
５ａ、５ｂ  側面網
６ａ、６ｂ、６ｃ、６ｄ  生鳥収容区画
７ａ、７ｂ、７ｃ、７ｄ、７ｅ  溝形鋼
７ｃ１  部分塞ぎ板
７ｃ２  爪
８ａ、８ｂ、８ｃ、８ｄ  ヒンジ
９ｂ、９ｃ、９ｄ、９ｅ  ロック部材
９ｃ１  溝型断面ゴム
９ｃ１１  生鳥移送篭内部空間側のフランジ
９ｃ１２  外部環境側のフランジ
９ｃ１３  ウェブ
９ｃ２  溝型断面金具
９ｃ２１  生鳥移送篭内部空間側のフランジ
９ｃ２１  外部環境側のフランジ
９ｃ２３  ウェブ
【要約】
【課題】  生鳥移送篭の排出扉ロック部材であって、溝型断面ゴムと溝型断面ゴムを挟持する溝型断面金具と平板金具とを備え、生鳥移送篭の側壁の一部を形成すると共に下縁まわりに揺動可能な排出扉の上縁に係合して排出扉を閉鎖状態にロックするロック部材において、生鳥排出時に生鳥が傷付く事態の発生を抑制し、生鳥の商品価値の低下を抑制し、ひいては、生鳥飼育に費やしたエネルギーの一部が無価値化して消失する事態の発生を抑制することができるロック部材を提供する。
【解決手段】  生鳥移送篭の排出扉ロック部材であって、溝型断面ゴムと溝型断面ゴムを挟持する溝型断面金具と平板金具とを備え、生鳥移送篭の側壁の一部を形成すると共に下縁まわりに揺動可能な排出扉の上縁に係合して排出扉を閉鎖状態にロックするロック部材において、溝型断面金具の外部環境側のフランジと生鳥移送篭内部空間側のフランジとを連結するウェブと溝型断面金具の生鳥移送篭内部空間側のフランジの挟む角度が２０°乃至３５°である。
【選択図】  図４【図１】
0006943540.tif 000002
【図２】
0006943540.tif 000003
【図３】
0006943540.tif 000004
【図４】
0006943540.tif 000005
【図５】
0006943540.tif 000006